(57)【要約】      （修正有）【課題】基板に対する保持体の取り付け作業を容易にし、また、取り外し作業も容易にすることができ、さらに、基板に対する保持体の安定的な固定を実現することのできる商品陳列具を提供する。【解決手段】保持体３０ａに、基板１０ａの裏面に当接可能な抜け止め係止部４２を先端に備えた折曲部４０を、基板１０ａのスロット１２ａ、１２ｂへの差込方向に対する差込片３６の先端において折り返した状態に延設した。また、折曲部４０の先端には、スロット１２ａ，１２ｂに凹設された第一凹部１４に収容可能な突片４６を設けた。また、保持部３２には位置決め係止部３４を設けた。【選択図】図２
0003179476.tif 000002
【実用新案登録請求の範囲】
【請求項１】
商品を保持するプラスチックシート製の保持体が、前記保持体を差し込んで固定するためのスロットが備えられた基板に取り付けられた商品陳列具であって、前記保持体には、前記基板の裏面に当接可能な抜け止め係止部を先端に備えた折曲部が、前記基板の前記スロットへの差込方向に対する差込片の先端において折り返した状態に延設されたことを特徴とする商品陳列具。
【請求項２】
前記抜け止め係止部の先端に突片が延設されるとともに、前記基板の前記スロット内に、前記突片が収容可能な凹部が凹設されることを特徴とする請求項１に記載の商品陳列具。
【請求項３】
前記保持体には、前記折曲部が前記スロットに差し込まれて抜け止め係止部の先端が前記基板裏面に当接する位置において、前記基板表面に当接可能な位置決め係止部が設けられたことを特徴とする請求項１又は請求項２に記載の商品陳列具。
【請求項４】
前記差込片は、商品陳列具の陳列状態における保持体の左右両側に形成されたことを特徴とする請求項１ないし請求項３のいずれかに記載の商品陳列具。
【請求項５】
前記差込片は、商品陳列具の陳列状態における保持体の下側に形成されたことを特徴とする請求項１ないし請求項４のいずれかに記載の商品陳列具。
【請求項６】
商品を保持する保持部が複数連設された保持体の前記保持部のそれぞれの下側及び前記保持体の少なくとも左右両側に、請求項１ないし請求項３のいずれかの商品陳列具の差込片が備えられたことを特徴とする商品陳列具。
【請求項７】
前記保持体がポリカーボネート製であることを特徴とする請求項１ないし請求項６のいずれかに記載の商品陳列具。
【考案の詳細な説明】
【技術分野】
【０００１】
この考案は、商品売り場において用いられる、商品を陳列して展示販売するための商品陳列具に関する。
【背景技術】
【０００２】
従来、紐で吊り下げられる厚紙製の台紙に、商品を収納する「保持体」を多数取付け、この保持体に商品を収納して展示販売するための商品陳列具が知られている。この種の商品陳列具は、購入者が商品を保持体からそのまま取り出すことができるとともに、保持体によって台紙前面に見栄え良く陳列することができるので、販促ツールの一つとして多用されている。一方、このような従来の商品陳列具は、台紙と同様に、保持体も板紙等の紙製とされることが多く、このため、保持体への商品の収納時や、顧客が保持体から商品を取り出す際に、誤って保持体を破損させてしまう恐れがあった。また、長期間の使用によち保持体が劣化するなどの耐久性も問題となっていた。また、紙製の保持体を台紙に取り付けるには、台紙への接着作業などが必要とされ、製造コストが増加することともなっていた。
【０００３】
そこで、このような紙製の保持体を備える従来の商品陳列具の問題を解決するために、プラスチックシート製の保持体を用いる商品陳列具が提案されている（特許文献１）。この商品陳列具は、保持体をプラスチックシートから構成することにより、保持体の破損のおそれを減少させることができるものである。また、透明な材質とすることにより、収納する商品のパッケージを保持体越しにも見ることができるようにすることができ、ディスプレイ効果に優れる。そして、商品陳列具の基板（台紙）への保持体の取付け作業については、保持体の差込片の折曲部を折り畳んだ状態としながら台紙側のスロットに差込片を差し込んだ後に、折曲部が反発によりある程度復元するとともに差込片の下部の突起がスロットの下端縁に引っ掛けられることにより差込片の抜け止めがなされるようにして行われている。
【先行技術文献】
【特許文献】
【０００４】
【特許文献１】特開２００５−３４８８５５号公報（図１等）
【考案の概要】
【考案が解決しようとする課題】
【０００５】
前述したプラスチックシートを用いた保持体を備える商品陳列具では、差込片の長さは、細長く形成されたスロットに対してほぼ同じ長さとされており、折曲部は、このスロットよりも若干長くなるように差込片の両端部に延設されている。また、この折曲部が罫線で折り曲げられることにより、差込片及び折り曲げ部がスロット内に挿通可能とされる。そして、スロット裏側に挿通された折曲部が反発によりある程度復元することにより、台紙の裏側に差し込んだ折曲部の側辺が台紙の裏面に当接されて基板に係止され、これにより基板からの差込片の抜け止めが図られている。またこの際に、折曲部はすべての部位が基板の裏側に挿通されて基板裏側に係止される。
【０００６】
したがって、折曲部がスロット入口に引っかかってしまわないように折曲部をしっかりと折りたたみ、折り曲げた折曲部と差込片との厚みがスロットの幅よりも小さくなるようにした状態を保持しながら、差込片をスロットに差し込む必要がある。よって、基板への保持体の取り付け作業がなお煩雑なままとされている。また、折曲部のすべての部位が基板の裏側に差し込まれないと基板裏側に係止できないので、いったん差し込まれた折曲部を再度抜くためには、折曲部を再びスロットの幅以下に折りたたみながらスロットに通す必要がある。このため、基板から保持体を取り外す作業も著しく困難であった。また、折曲部の側辺が基板の裏側に当接されることにより基板からの抜け止めが図られることとされているため、基板に当接される際の応力によって、折曲部が撓み易く、また、屈曲し易い。このため、基板に対して、折曲部が安定的に当接された状態を維持することが困難であり、保持体が基板に対してガタつきを生じたり、場合によっては保持体が基板から脱落したりするなど、基板に対する保持体の安定的な固定に支障を生ずることがあった。
【０００７】
本考案が解決しようとする目的は、前述の従来技術の問題点を解決するものであり、基板に対する保持体の取り付け作業を容易にすることのできる商品陳列具を提供することにある。また、取り外し作業も容易にすることのできる商品陳列具を提供することにある。また、基板に対する保持体の安定的な固定を実現することのできる商品陳列具を提供することにある。
【０００８】
上記課題を解決するものは以下のものである。
（１）商品を保持するプラスチックシート製の保持体が、前記保持体を差し込んで固定するためのスロットが備えられた基板に取り付けられた商品陳列具であって、前記保持体には、前記基板の裏面に当接可能な抜け止め係止部を先端に備えた折曲部が、前記基板の前記スロットへの差込方向に対する差込片の先端において折り返した状態に延設されたことを特徴とする商品陳列具である。
【０００９】
「差込片の先端」とは、スロットに対する差込片の差込方向における先端を指す。従来の商品陳列具のように折曲部を差込片の側方において折り返すように構成するのではなく、本考案のように構成することにより、従来の保持体のようにスロットの幅より小さくなるように折曲部を折りたたまなくても、差込片の先端をスロット内にそのまま挿入していくと、自然に折曲部全体がスロット内に挿通されていく。よって、差込片をスロット内に挿入する作業の際に、折曲部を強制的に折りたたんだ状態に保持しておくなどの煩雑な作業は必要無い。そして、スロットの奥側まで折曲部の抜け止め係止部を差し込むと、折り畳まれた折曲部が復元して、差し込んだ折曲部の先端に形成された抜け止め係止部がスロットの裏面の外周縁に当接されるように係止される。このように、差込片と共に折曲部をその先端からスロットに差し込むだけで、折曲部の先端の抜け止め係止部によって、保持体が基板に対して抜け止めされて保持されるように構成することができる。
【００１０】
（２）前記抜け止め係止部の先端に突片が延設されるとともに、前記基板の前記スロット内に、前記突片が収容可能な凹部が凹設されることを特徴とする（１）の商品陳列具である。
【００１１】
このように、保持体の折曲部の抜け止め係止部の先端に突片を形成するとともに、この突片が収容可能な凹部を基板のスロット内に凹設することにより、折曲部をスロット内に差し込んだ際に、抜け止め係止部のみを基板の裏面に当接させる一方で、基板の表側には、凹部から突片を突出させておくことができる。また、スロットに凹部が設けられていない場合は、突片が基板の表側に突出させられていると、抜け止め係止部がスロット内に位置されてしまうため基板の裏面に係止することができず、折曲部が基板の表側に抜けてしまうおそれがある。しかしながら、突片のみが収容可能な幅の凹部を形成しておくことにより、凹部内に突片を位置させることができ、よって、抜け止め係止部の先端については、依然、凹部近辺の基板の裏面に係止させることができる。したがって、基板の表側に突片を突出させることができながらも、基板からの意図しない保持体の抜け落ちを容易に防止することができる。
【００１２】
そして、このように構成することにより、基板の表側から突片を摘んで、基板の裏側に係止されている折曲部の抜け止め係止部の位置をスロット内に移動させるようにずらすことができる。このようにして、抜け止め係止部の基板の裏面への係止状態を容易に解除することができる。よって、一旦、基板に保持させた保持体を取り外す必要がある場合（例えば、陳列する商品をより大きなものに変更するために、内径の大きな保持体に変更する場合など）、取り外し作業を容易に行うこともできる。
【００１３】
（３）また、前記保持体には、前記折曲部が前記スロットに差し込まれて抜け止め係止部の先端が前記基板裏面に当接する位置において、前記基板表面に当接可能な位置決め係止部が設けられたことを特徴とする（１）または（２）の商品陳列具である。
【００１４】
このような位置決め係止部を保持体に設けることにより、差込片に連設される折曲部の抜け止め係止部を基板の裏面に当接される位置に差込片の差込量を定めておくことが可能となる。よって、差し込まれた折曲部の抜け止め係止部が基板裏面へ安定して当接するようにして、基板への保持体の固定を安定させることができる。また、差込片自体も基板の表側に当接された状態とすることができるので、差込片の基板への支持も安定させることができ、より安定的に保持体を基板に保持させることができる。
【００１５】
（４）また、前記差込片は、商品陳列具の陳列状態における保持体の左右両側に形成されたことを特徴とする（１）ないし（３）のいずれかの商品陳列具である。
（５）また、前記差込片は、商品陳列具の陳列状態における保持体の下側に形成されたことを特徴とする（１）ないし（４）のいずれかの商品陳列具である。
（６）また、商品を保持する保持部が複数連設された保持体の前記保持部のそれぞれの下側及び前記保持体の少なくとも左右両側に、（１）ないし（３）の商品陳列具のいずれかの差込片が備えられたことを特徴とする商品陳列具である。
（７）前記保持体がポリカーボネート製であることを特徴とする（１）ないし（６）のいずれかの商品陳列具である。
【考案の効果】
【００１６】
本考案の商品陳列具は、前述の構成とされており、抜け止め係止部を先端に備えた折曲部が、基板のスロットへの差込方向に対する差込片の先端において折り返した状態に延設されているので、スロットの幅より小さくなるように折曲部を折りたたまなくても、差込片の先端をスロット内にそのまま挿入していくと、自然に折曲部全体がスロット内に挿通されるので、基板に対する保持体の取り付け作業を容易にすることができる。また、抜け止め係止部の先端に突片が延設されるとともに、基板のスロット内に、突片が収容可能な凹部が凹設される構成とすることにより、突片を摘んで保持体を容易に取り外すことができ、保持体の取り外し作業も容易にすることができる。また、折曲部がスロットに差し込まれて抜け止め係止部の先端が基板裏面に当接する位置において、基板表面に当接可能な位置決め係止部が設けられる構成とすることにより、基板に対する保持体の安定的な固定を実現することができる。
【図面の簡単な説明】
【００１７】
【図１】図１は、本考案の商品陳列具の斜視図である。
【図２】図２は、図１の商品陳列具の基板と保持体の要部拡大斜視図である。
【図３】図３は、保持体の平面図である。
【図４】図４は、本考案の別の商品陳列具の斜視図である。
【図５】図５は、図４の商品陳列具の基板と保持体の要部拡大斜視図である。
【図６】図６は、本考案の別の商品陳列具に用いる保持体の平面図である。
【考案を実施するための形態】
【００１８】
本考案の商品陳列具について、図面を参照して詳細に説明する。本考案の商品陳列具１ａは、図１に示されるように、基板１０ａと、基板１０ａを吊り下げるための吊り下げ紐（図示省略）と、複数の保持体３０ａとを備えており、販売等をしようとする商品Ｘを基板１０ａに取り付けられた保持体３０ａ内に保持させて、小売店の店頭等において陳列するためのものである。なお、説明の便宜のため、図面上は商品Ｘを１個のみ示しているが、実際には多数ないしすべての保持体３０ａに商品Ｘを保持させて陳列する。
【００１９】
基板１０ａは、「台紙」とも呼ばれるものであり、複数枚の板紙を貼り合わせた合紙から形成されており、縦長の長方形状に形成されている。また、基板１０ａの上部には、吊棒（図示省略）等に基板１０ａを吊り下げるための吊り下げ紐２が取り付けられている。基板１０ａには、後述する保持体３０ａの差込片３６等を差し込んで基板１０ａに固定するための多数のスロット１２が形成されている。具体的には、本例では２４個のスロット１２が形成されているがスロット１２の数は適宜変更して良い。
【００２０】
スロット１２は、一つの保持体３０ａに対して、左右一つずつのスロット１２ａ，１２ｂが組となって形成されている。スロット１２ａ，１２ｂの間には約３８ｍｍの間隔が設けられている。これらの一組のスロット１２ａ，１２ｂに対して一つの保持体３０ａが取り付けられ、スロット１２ａ、１２ｂの間に、保持体３０ａに保持されて商品Ｘが陳列される。また、スロット１２ａ，１２ｂは、それぞれ細長に開口され、概ね基板１０ａの上下方向に沿って細長に開設されている。基板１０ａには、これらの一組のスロット１２ａ，１２ｂが横に三組形成され、これが縦に四列形成されており、計十二組のスロット１２ａ，１２ｂが設けられている。また、横方向の三組のスロット１２ａ，１２ｂのうち、左右の組のスロット１１ａ，１２ｂはそれぞれ基板１０ａの端側に傾くよう形成されており、横方向の三組のスロット１２ａ，１２ｂは、全体として扇状に配設されることになる。
【００２１】
図２に示されるように、一組のスロット１２ａ，１２ｂは、それぞれ第一凹部１４を外側に向けて、それぞれ配設されている。第一凹部１４を外側に配設することにより、基板１０ａの表側に第一凹部１４から突出される突片４６を容易に摘むことができる。また本例では、歯磨きチューブや化粧品チューブなどの先端よりも後端が幅広く形成されている商品Ｘを陳列させるが、一組のスロット１２ａ，１２ｂとの間隔は、このような商品Ｘの先端付近の外径よりも僅かに大きく、一方で、商品Ｘの後端は通過できない大きさの幅に形成されている。よって、後述するように、これらのスロット１２ａ，１２ｂに取り付けられる保持体３０ａの下部には底部が設けられず開放されていても、保持体３０ａの所定位置において当該商品Ｘが係止されて落下しないように構成されている。このように保持体３０ａの底部を不要として、保持体３０ａの材料及び作業コストを低減させることができる。
【００２２】
スロット１２は前述したように、細長の開口として形成されている。そして、このスロット１２には、その上下方向における上４分の１付近から下４分の１付近にかけて、側方に向けて凹設された台形状の第一凹部１４が形成されている。スロット１２の幅方向の長さに対する第一凹部１４の幅は、スロット１２の幅よりも僅かに長く設けられている。また、第一凹部１４の上下方向の長さは、後述する保持体３０ａの折曲部４０の先端に突設された突片４６の幅とほぼ同じか、これよりも僅かに大きく設けられている。しかしながら、突片４６のみを収容可能とし、後述する抜け止め係止部４２は第一凹部１４に収容されないようにするためには、抜け止め係止部４２の幅よりも短く形成する必要がある。本例では、具体的には、スロット１２ａ，１２ｂはそれぞれ長さ約２６ｍｍ、幅約２ｍｍに設けられ、第一凹部１４は、その長さは先端で約１２ｍｍ、基端で約１５ｍｍに設けられ、幅約２ｍｍに設けられている。
【００２３】
また、第一凹部１４を、奥側が幅狭の台形状に形成することにより、突片４６の端部が第一凹部１４の奥側に円滑に収められるようにすることができ、突片４６全体を第一凹部１４の奥側まで確実に収容させることができる。よって、抜け止め係止部４２は第一凹部１４の奥側の基板１０ａの裏面に当接される位置に確実に導かせることができ、抜け止め係止部４２がスロット１２に移動してスロット１２から基板１０ａの表側に抜けるおそれを減少させることができる。
【００２４】
また、第一凹部１４を、先端が突片４６の幅とほぼ同じ幅である約１２ｍｍに設け、基端を突片４６の幅より大きく約１５ｍｍに設けることにより、突片４６が第一凹部１４内に容易に導かれるようにすることできるとともに、第一凹部１４先端では突片４６が第一凹部１４内に容易に保持させることができる。よって、第一凹部１４内に突片４６を容易に収容させることができる一方で、第一凹部１４内に突片４６を確実に保持させることもできる。
【００２５】
ついで、保持体３０ａについて説明する。図３に示されるように、基板１０ａに取り付けられていない状態の保持体３０ａは、細長い帯状に形成されている。保持体３０ａは、透明なＰＥＴ（ポリエチレンテフタール）から形成されているが、他の樹脂材料から形成しても良い。保持される商品Ｘのパッケージ等をより明確に視認可能とするためには、本例のように透明な材質とすることが望ましい。
【００２６】
保持体３０ａには、商品Ｘを主に保持する中央の保持部３２と、保持部３２の両側端部にそれぞれ連設された差込片３６と、それぞれの差込片３６の先端にそれぞれ延設された折曲部４０とが備えられている。保持部３２は横長矩形の帯状に形成されるとともに、それぞれの差込片３６との境界部に位置決め係止部３４が形成されている。保持部３２の長さは約９５ｍｍ、幅は約２６ｍｍに設けられている。位置決め係止部３４は、保持体３０ａの長手方向に垂直に形成された係止端部３５を備えた三角形状に形成されており、保持部３２の両端部において、その幅方向の両側に計４個形成されている。スロット１２ａ，１２ｂの長さは位置決め係止部３４の両端部間の長さよりも短く形成されているので、差込片３６が基板１０ａのスロット１２ａ，１２ｂに差し込まれる際には、スロット１２ａ，１２ｂの周辺の基板１０ａの表面にこれらの位置決め係止部３４が当接されて、差込片３６の最大差込量を定めることにより、スロット１２ａ，１２ｂに対する差込片３６の位置決めを行うことができる。また、保持体３０ａが基板１０に取り付けられ商品Ｘが収容保持された際には、商品Ｘの重みにより保持体３０ａが下方に傾くが、位置決め係止部３４のうち基板１０に取り付けられた際に下側に位置する位置決め係止部３４が保持体３０の傾きを支えるようにして保持体３０ａの傾きを規制し、保持体３０ａが下方に弛んだような姿勢とならないようにすることができる。本例では保持部３２の幅方向における位置決め係止部３４の先端の間の間隔は約４６ｍｍに設けられている。
【００２７】
保持部３２の先端、より具体的には、保持部３２に設けられた位置決め係止部３４よりも先端側には、差込片３６が連設されている。差込片３６の幅は保持部３２とほぼ同じく約２６ｍｍに設けられるとともにスロット１２ａ，１２ｂの長さとほぼ同じく形成されている。なお、差込片３６の幅をスロット１２ａ，１２ｂの長さよりも短くすることも可能である。また、差込片３６の長さは適宜選択できるが、本例では、約１５ｍｍに設けられている。
【００２８】
また差込片３６の先端の両側の角部は、後述する折曲部４０と同様に、斜めに切り欠かれている。これによりスロット１２ａ，１２ｂへの差込時に、差込片３６の先端がスロット１２ａ，１２ｂ内により円滑に差し込まれるようにすることができる。また、差込片３６の先端から延設されるとともに差込片３６との連設部分において折り曲げられて用いられる折曲部４０を差込片３６の先端において容易に折り曲げることも可能にする。
【００２９】
ついで、折曲部４０について説明する。前述したように、折曲部４０は差込片３６の先端から延設されている。折曲部４０の先端には、折曲部４０がスロット１２ａ，１２ｂに差し込まれた際に基板１０ａの裏面に当接して抜け止めを図るための抜け止め係止部４２が形成されている。折曲部４０は、差込片３６との連設部分を挟んでほぼ対称の形状に形成されており、その幅は約２６ｍｍに形成されているが、その長さは約１４ｍｍと差込片３６の長さ約１５ｍｍよりも僅かに短く形成されている。このように位置決め係止部３４よりも先端側に形成される差込片３６の長さよりも、折曲部４０の長さを短く設けることにより、スロット１２ａ，１２ｂに差込片３６を十分に差し込めば、折曲部４０の抜け止め係止部４２が基板１０ａの表側に飛び出すことなく基板１０ａの裏面に確実に当接されるように設けることができる。なお、折曲部４０を差込片３６よりも短くする量は、基板１０ａの厚みによって調整すればよく、適宜変更すればよい。また、前述の通り、折曲部４０の基端側の角部には差込片３６の先端部と同様に、角部が切り欠かれている。また、差込片３６と折曲部４０との連設部に引かれた罫線は連設部において折曲部４０を折り返すように折り曲げた場合に、折曲部４０が若干復元する程度で、容易に伸ばすことができないように引かれており、折り曲げた折曲部４０が基板１０ａ裏面に確実に当接可能となるように設けられている。
【００３０】
折曲部４０の先端の抜け止め係止部４２の中央には、さらに突片４６が突設されている。突片４６は先端が幅狭の台形状に形成されている。前述した抜け止め係止部４２は、この突片４６の両側にそれぞれ約７ｍｍの長さに形成され、突片４６の基端側はこれらの抜け止め係止部４２に挟まれて約１２ｍｍの長さに形成されている。また、突片４６の先端側は約８ｍｍの長さに形成されている。
【００３１】
以上に説明した折曲部４０及び突片４６は、保持部３２の両側に設けられた差込片３６に同様に設けられている。
【００３２】
ついで、このように構成された商品陳列具１ａについて、基板１０ａへの保持体３０ａの取付方法を説明する。前述したように、基板１０ａに取り付けられていない状態の保持体３０ａは、おおよそ帯状の形状をなしている。前述の通り、保持体３０ａの長さは約９５ｍｍに設けられており、これを湾曲させるようにして、その両端に延設されている差込片３６等を約３８ｍｍの間隔で設けられたスロット１２ａ，１２ｂに差し込む。この際に、差込片３６と折曲部４０との境界線において折曲部４０を折り返すように折り曲げ、折曲部４０の先端の突片４６が保持部３２側に位置するようにして、差込片３６の先端から、スロット１２ａ，１２ｂにそれぞれ差し込む。差込片３６の基端まで差し込み、位置決め係止部３４が基板１０ａの表面に当接するまで差し込むと、折曲部４０の抜け止め係止部４２は基板１０ａの裏側にまで到達し、抜け止め係止部４２は基板１０ａの裏面に当接可能な位置まで差し込まれることになる。
【００３３】
この状態まで差し込むと、折曲部４０は基板１０ａの裏側に位置し、基板１０ａの表側には突片４６のみが突出している状態となる、よって、突片４６のみが第一凹部１４に収容可能となり、折曲部４０は基板１０ａの裏側において差込片３６に対して僅かに拡がるように復元するとともに、基板１０ａの表側に突出した突片４６は第一凹部１４内の先端側にまで位置して、第一凹部１４内に保持される。そして、この状態において、抜け止め係止部４２は第一凹部１４の長手方向の外側の部位の基板１０ａの裏面に当接可能となり、保持体３０ａが基板１０ａから抜け落ちないように保持体３０ａ全体を係止する。折り曲げられた折曲部４０は、差込片３６に対して押し拡げられるように復元しようとしているので、抜け止め係止部４２は容易にはスロット１２ａ，１２ｂ内の位置に移動することはなく、よって、意図した取扱いをしなければ、抜け止め係止部４２がスロット１２ａ，１２ｂ内に移動するおそれは少ない。したがって、差込片３６等が基板１０ａから抜け落ちてしまうおそれは少ない。このようにして基板１０ａに保持された保持体３０ａの保持部３２内に、適宜商品Ｘを収容保持させ、販売場所等において陳列展示する。顧客が商品Ｘを購入したい場合には、商品Ｘを保持体３０ａから抜き取ればよい。また、商品Ｘが保持されていない保持体３０ａには、その上方から、先端側から商品Ｘを挿入し、幅広の基端側を保持体３０ａに係止させて商品Ｘを適宜補充することができる。
【００３４】
このように、折曲部４０を折り畳むように手で保持していなくても、差込片３６の先端及び折曲部４０の基端を先にしてスロット１２ａ，１２ｂ内に差し込んでいけば、極めて簡単にこれらの差込片３６等の差込作業が完了する。したがって、基板１０ａへの保持体３０ａの接着作業なども不要であるほか、基板１０ａへの保持体３０ａの取り付け作業について極めて簡便で短時間に行えるものとすることができる。
【００３５】
また、基板１０ａから保持体３０ａを取り外す場合には以下のように行う。突片４６を、スロット１２ａ，１２ｂ方向に押し付けるようにして、第一凹部１４内からスロット１２ａまたは１２ｂ内に移動させる。すると、突片４６が連設される抜け止め係止部４２もスロット１２ａ，１２ｂ内に移動されて、折曲部４０及び差込片３６がスロット１２ａ，１２ｂから抜き取り可能となる。この状態で保持部３２の端部と共に突片４６を基板１０ａから抜き取る。
【００３６】
このように、取り付け状態では基板１０ａへ保持体３０ａを確実に係止することができる一方で、取り外す際の作業も極めて簡便かつ短時間に行うことができる。また、この保持体３０ａを再度基板１０ａに取り付ける場合にも、前述したような簡単な取り付け作業のみで足りる。よって、例えば、別サイズの商品Ｘに合わせて保持部３２の長さの異なる保持体３０ａを別途用意して取り換え作業などを行う場合等には、作業の簡略化に極めて有効である。
【００３７】
ついで、図４〜図６を参照して本考案の別の商品陳列具１ｂについて説明する。この商品陳列具１ｂは、前述した商品陳列具１ａと異なり、複数の商品Ｙを一つの保持体３０ｂにより基板１０ｂに保持させるものである。本例では、３つの商品Ｙを一つの保持体３０ｂに保持させることができる。また、前述した商品Ｘと異なる形状の円筒状の商品Ｙを陳列することを目的とする。このため、円筒状の商品Ｙが落下しないように保持体３０ｂには底部６０が設けられている点についても異なる。なお、前述した商品陳列具１ａと共通する構成については図面中に同じ符号を付して説明を省略する。
【００３８】
基板１０ｂには保持体３０ｂを取り付けるスロット１２及び係止用孔５０が合わせて計２６個形成されている。各スロット１２及び係止用孔５０は、上下の二つの群に分けて配設されている。これらの上下二つの群の各スロット１２等は、それぞれ以下のような配置構成とされている。まず、商品陳列具１ｂの左右両端には、商品陳列具１ｂの縦方向に沿って開口されたスロット１２ｃ，１２ｄが設けられている。そして、これらのスロット１２ｃ、１２ｄの間には、同様に商品陳列具１ｂの縦方向に沿って、かつ約３６ｍｍの等間隔に、５つの係止用孔５０ａ，５０ｂ，５０ｃ，５０ｄ，５０ｅ，５０ｆが開口されている。そしてさらに、商品陳列具１ｂの左右方向に等間隔に設けられたスロット１２ｃ，１２ｄ及び５つの係止用孔５０のそれぞれの間の６か所のスペースの下方に位置する部位には、スロット１２ｃ、１２ｄ及び各係止用孔５０の長手方向に対して垂直方向に沿って開口された６つのスロット１２ｅ，１２ｆ，１２ｇ，１２ｈ，１２ｉ，１２ｊが設けられている。
【００３９】
図６にも示されるが、スロット１２ｃ〜１２ｊは、その配設される向き及び位置は異なるが、それぞれ以下のような同様の形状に形成されている。スロット１２ｃを例として説明する。スロット１２ｃは、その幅が約２ｍｍ、長さが約２６ｍｍの細長い長方形状に形成されており、その左側、すなわち基板１０ｂの外側に位置する部位に、幅方向に向けて凹設された台形状の第一凹部１４が備えられている。第一凹部１４は、その長さは先端で約１２ｍｍ、基端で約１５ｍｍに設けられ、幅約２ｍｍに設けられている。また、スロット１２ｃの第一凹部１４と反対側には別の第二凹部５２が凹設されている。第二凹部５２は、その長さは先端で約６ｍｍ、基端で約１２ｍｍに設けられ、幅約５ｍｍに設けられている。スロット１２ｄは、前述の通りスロット１２ｃとは反対側の基板１０ｂの右側に配設されており、第一凹部１４を右側、すなわち基板１０ｂの外側に位置する部位に、第二凹部５２をその反対側の部位にそれぞれ設け、スロット１２ｃとは左右対称の形状に設けられている。また、スロット１２ｅ〜１２ｊは、上方に第一凹部１４を、下方に第二凹部５２を設けるようにして、スロット１２ｃとは９０度半時計回りに回転させた形状に設けられている。
【００４０】
また、係止用孔５０は以下のような形状に形成されているが、５つの係止用孔５０はすべて同様の形状に形成されている。係止用孔５０は、その幅が約２ｍｍ、長さが約２６ｍｍの細長い縦方向の長方形状に形成されており、縦方向中央の左側及び右側には、幅方向に向けて凹設された台形状の第三凹部５４及び第四凹部５６が備えられている。第三凹部５４及び第四凹部５６は、その長さは先端で約５ｍｍ、基端で約１０ｍｍに設けられ、幅約４ｍｍに設けられている。
【００４１】
以上説明したスロット等のうち、後述するように、保持体３０ｂはスロット１２ｃ、スロット１２ｅ〜１２ｇ及び係止用孔５０ａ〜５０ｃに差し込まれて基板１０ｂに固定される。また、別の保持体３０ｂがスロット１２ｄ、スロット１２ｈ〜１２ｊ及び係止用孔５０ｃ〜５０ｅに差し込まれて基板１０ｂに固定される。なお、このように係止用孔５０ｃについては、二つの保持体３０ｂで共用される。そして前述の通り、これらのスロット１２ｃ〜１２ｊ及び係止用孔５０が、基板１０ｂの上下に二列設けられている。
【００４２】
ついで、基板１０ｂに取り付けられる保持体３０ｂについて説明する。保持体３０ｂは、前述の通り、円筒状の商品Ｙを複数保持させるものであり、本例では３つの商品Ｙを保持させることができる。図５に示されるように、保持体３０ｂは、透明なＰＥＴから形成されており、それぞれ一つの商品Ｙを保持するように横方向に連設された３つの保持部３２ａ〜３２ｃと、それぞれの保持部３２ａ〜３２ｃの下端中央付近に連設された底部６０と、保持体３０ｂの左右方向における一端側の保持部３２ａから延設された差込片３６と、保持部３０ｂの左右方向における他端側の保持部３２ｃから延設された係止片８０ｅと、３つの保持部３２ａ〜３２ｃの間にそれぞれ連設された係止片８０ａ〜８０ｄとが備えられている。また、保持部３２は、それぞれ縦約５０ｍｍ、横約９２ｍｍの長方形状に形成されている。
【００４３】
底部６０は、保持部３２側を頂点とする「半長円形状」に形成されており、縦横共に約３６ｍｍに設けられている。そして、底部６０の先端には、底部６０よりも幅狭に形成された差込片３６が延設されている。底部６０の先端は差込片３６よりも幅広に形成されて、差込片３６よりも幅広の部位が位置決め係止部６２とされている。後述するように、差込片３６がスロット１２ｅ〜１２ｊに差し込まれる際にこの位置決め係止部６２がスロット１２ｅ〜１２ｊ周辺の基板１０ｂの表面に当接することにより、差込片３６の差込量が定められるように構成されている。なお、底部６０の先端に延設された差込片３６は、前述した第一の実施例の差込片３６と同様に構成されている。また、保持体３０ｂの一端側から延設された差込片３６も同様に構成されている。
【００４４】
係止片８０は、係止用孔５０のいずれかに対して差し込まれて、保持体３０ｂを基板１０ｂに対して係止固定するものである。まず係止片８０ｅについて説明すると、係止片８０ｅの平面視形状はおおよそ「楔」状に形成されており、先端及び基端の幅が狭く、基端寄りの係止部８２が最も幅が広く設けられている。具体的には、係止片８０ｅの各部の幅は、先端が約２０ｍｍ、係止部８２が約２８ｍｍ、基端が約２６ｍｍとされており、長さが約２６ｍｍに設けられた係止用孔５０に対しては、これよりも先端が短く、係止部８２は２ｍｍ長く、基端は同じに設けられている。よって、係止用孔５０に係止片８０ｅを差し込む場合、その先端は容易に差し込むことができ、係止部８２を差し込む際には係止用孔５０に圧入するように強く押し込み、係止部８２が係止用孔５０を乗り越えると、ほぼ同じ長さに設けられた基端において、係止片８０ｅが係止用孔５０に安定して係止保持され、また、係止用孔５０よりも長い係止部８２によって、係止片８０ｅが係止用孔５０から容易には抜脱しないように構成されている。そして、前述したように、このような係止片８０ｅは、保持体３０ｂの一端側に設けられた差込片３６と反対側の保持体３０ｂの他端側から延設されている。また、他の係止片８０ａ〜８０ｄまでについても同様な形状に設けられている。
【００４５】
係止片８０ａ〜８０ｄについては、さらに以下のように構成されている。３つの保持部３２のうち一端側の保持部３２ａと中央の保持部３２ｂとの間においては、保持部３２ａから係止片８０ａが保持部３２ｂ側に向けて延設され、また、保持部３２ｂから係止片８０ｂが保持部３２ａ側に向けて延設されている。そして、これらの係止片８０ａ及び８０ｂは、その先端において連設されており、この連設部８１において折曲可能に構成されている。同様に、中央の保持部３２ｂと他端側の保持部３２ｃとの間においては、保持部３２ｂから係止片８０ｃが保持部３２ｃ側に向けて延設され、また、保持部３２ｃから係止片８０ｄが保持部３２ｂ側に向けて延設され、それぞれの先端の連設部８１において折曲可能に構成されている。また、各保持部３２の上端部に、装飾効果を目的とする飾り片を設けても良い。
【００４６】
ついで、この商品陳列具１ｂについて、基板１０ｂへの保持体３０ｂの取り付け方法を説明する。図６において、まず、基板１０ｂの下段の左側に取り付けられる保持体３０ｂについて説明する。基板１０ｂに取り付けられていない状態の保持体３０ｂは、おおよそ帯状の形状をなしている。前述の通り、３つの保持部３２の長さは約９２ｍｍに設けられており、これらの３つの保持部３２をそれぞれ湾曲させるようにして、約３６ｍｍの間隔で設けられたスロット１２ｃ、係止用孔５０ａ〜５０ｃに差込片３６及び係止片８０を差し込む。同時に、後述するように各底部６０の差込片３６もスロット１２ｅ〜１２ｇに差し込む。各差込片３６は前述の第一の実施例のように、折曲部４０を折り返すように折り曲げ、折曲部４０の先端の突片４６が保持部３２側に向くようにして差し込む。またこの際には、差込片３６の突片４６が基板１０ｂの左側に位置するように折曲部４０を折り曲げ、また、底部６０の折曲部４０は基板１０ｂの下側に位置するように折曲部４０を折り曲げる。このようにして、各突片４６が基板１０ｂの表側に突出するようにスロット１２ｃ、１２ｅ〜１２ｇに差込片３６を差し込む。また、連設された係止片８０ａ，８０ｂについて連設部８１を先端にして係止用孔５０ａに差し込む。同様に係止片８０ｃ，８０ｄを係止用孔５０ｂに差し込む。そして保持体３０ｂの他端側に設けられた係止片８０ｅを係止用孔５０ｃに差し込む。これらの係止片８０は、前述のように係止用孔５０に圧入されるように差し込まれて、基板１０ｂに固定される。
【００４７】
ついで、同様にして、図４に示すように、スロット１２ｄ、１２ｈ〜１２ｊ及び係止用孔５０ｄ〜５０ｆに保持体３０ｂを取り付ける。スロット１２ｄ、１２ｈ〜１２ｊ及び係止用孔５０ｄ〜５０ｆは、前述した一つ目の保持体３０ｂが取り付けられるスロット１２ｃ、１２ｅ〜１２ｇ及び係止用孔５０ａ〜５０ｃとは、左右対称に形成されている。このため、スロット１２ｄ、１２ｈ〜１２ｊ及び係止用孔５０ｄ〜５０ｆに取り付ける保持体３０ｂは、前述した一つ目の保持体３０ｂと同じ保持体３０ｂについて、左右対称に取り付けられるように、差込片３６、折曲部４０、底部６０及び係止片８０を一つ目の保持体３０ｂとは反対側に折り曲げて基板１０ｂに差し込む。すなわち、本例では、折曲方向を変えるだけで左右いずれの保持体３０ｂとしても用いることができる。また、前述したように、基板１０ｂの右側に取り付ける保持体３０ｂについても、その係止片８０ｅは係止用孔５０ｃに差し込まれ、左右の保持体３０ｂのそれぞれの係止片８０ｅは係止用孔５０ｃに差し込まれる。このように取り付けられる下段の保持体３０ｂと同様に、上段の左右の保持体３０ｂも取り付けると保持体３０ｂの取付けが完了する。そして、この商品陳列具１ｂにおいては底部３０が備えられた保持体３０ｂを用いているので、円筒状の商品Ｙも確実に保持することができる。
【００４８】
このように、商品陳列具１ｂについても、前述した商品陳列具１ａと同様に、折曲部４０を折りたたむようにして手で保持していなくても、極めて簡単に差込片３６等の差込作業を行うことができ、基板１０ｂへの保持体３０ｂの接着作業なども不要であり、取付作業について極めて簡便で短時間に行えるものとすることができる。また、取り付け状態では基板１０ｂへ保持体３０ｂを確実に係止することができる一方で、取り外す際の作業も極めて簡便かつ短時間に行うことができる。
【００４９】
本考案は前述の例に限られず、本考案の趣旨の範囲内で適宜の変更が可能である。例えば、基板１ａ，１ｂは紙製の「台紙」のものを例示しているが、これに限られず樹脂製などの他の材質に変更することでも良い。また、吊り下げ紐によって吊り下げられる「吊り下げ式」の商品陳列具に限られず、台座上に設置されるような他の種類の商品陳列具に適用することもできる。
【産業上の利用可能性】
【００５０】
本考案は、商品売り場において用いられる、商品を陳列して展示販売するための商品を陳列する商品陳列具について広く用いることができる。
【符号の説明】
【００５１】
１ａ，１ｂ；商品陳列具、１０ａ，１０ｂ；基板、１２，１２ａ，１２ｂ，１２ｃ，１２ｄ，１２ｅ，１２ｆ，１２ｇ，１２ｈ，１２ｉ，１２ｊ；スロット、１４；第一凹部、３０ａ，３０ｂ；保持体、３２；保持部、３４；位置決め係止部、３６；差込片、４０；折曲部、４２；抜け止め係止部、４６；突片、５０，５０ａ，５０ｂ，５０ｃ，５０ｄ，５０ｅ，５０ｆ；係止用孔、５２；第二凹部、５４；第三凹部、５６；第四凹部、６０；底部、６２；位置決め係止部、８０ａ〜８０ｅ；係止片、８２；係止部、Ｘ，Ｙ；商品。
【図１】
0003179476.tif 000003
【図２】
0003179476.tif 000004
【図３】
0003179476.tif 000005
【図４】
0003179476.tif 000006
【図５】
0003179476.tif 000007
【図６】
0003179476.tif 000008